(57)【特許請求の範囲】
【請求項１】
装置本体と、
この装置本体の上面部を開閉する開閉カバーと、
前記装置本体の上面部側に利用者の通行方向に沿って配設され、利用者を光学的に検知する複数個の検知センサと、
これら複数個の検知センサをカバーする透光性を有するケーシングと、
このケーシング内に設けられ、前記利用者の通行方向に沿って配設された複数個の清掃具と、
前記開閉カバーと前記複数個の清掃具とを連結し、前記開閉カバーの開閉動作に基づいて前記利用者の通行方向に沿って走行して前記複数個の清掃具を前記複数個の検知センサに摺接させる連結部材と
を具備することを特徴とする自動改札装置。
【請求項２】
前記連結部材は、所定間隔を存して配設される滑車間に中途部が掛け渡され、一端部を前記開閉カバーに接続し、他端部を付勢部材を介して前記ケーシングに固定させることを特徴とする請求項１記載の自動改札装置。
【請求項３】
前記清掃具はアクリル製のブラシであることを特徴とする請求項１または２記載の自動改札装置。
【発明の詳細な説明】
【技術分野】
【０００１】
本発明は、例えば、駅構内や遊戯施設などに設置される自動改札装置に関する。
【背景技術】
【０００２】
この種の自動改札装置は検知センサを備え、この検知センサにより通路を通過する利用者を光学的に検知してその通過状況を認識するようにしている。
【０００３】
ところで、検知センサが汚れると、利用者の位置情報を得ることができなくなり、ドア開閉制御や案内表示を正確に行なうことができなくなる。このため、検知センサは定期的に清掃されるようになっている。
【０００４】
検知センサはケーシング内に設けられ、ケーシングは自動改札装置の本体の上面部側に開閉自在に設けられている。検知センサの清掃時には、作業員によりケーシングを開放してから検知センサの清掃を行なっている。
【０００５】
しかしながら、従来においては、ケーシングを開放して検知センサを清掃していたため、清掃時には検知センサが外部に露出してしまう。このため、検知センサの位置が利用者に知られてしまい、利用者の不正利用を助長してしまう虞があった。
【０００６】
また、検知センサの清掃時には、その都度、ケーシングの開放作業が必要になるため、作業も手間取るものとなっていた。
【０００７】
なお、エレベータなどでは、そのカゴの昇降動作に連動するブラシを備え、このブラシを主制御盤に摺接させることにより、清掃を行なっている（例えば、特許文献１参照。）。
【先行技術文献】
【特許文献】
【０００８】
【特許文献１】特開２００８−２３０８１３号公報
【発明の概要】
【発明が解決しようとする課題】
【０００９】
しかしながら、上記した公知例では、通常機能にて常時稼動するカゴにブラシを連動させるため、故障し易いという不都合がある。
【００１０】
本発明は上記事情に着目してなされたもので、その目的とするところは、検知センサの位置が利用者に知られることなく容易に、しかも、故障することなく清掃できるようにした自動改札装置を提供することにある。
【課題を解決するための手段】
【００１１】
上記課題を解決するため、請求項１記載の発明は、装置本体と、この装置本体の上面部を開閉する開閉カバーと、前記装置本体の上面部側に利用者の通行方向に沿って配設され、利用者を光学的に検知する複数個の検知センサと、これら複数個の検知センサをカバーする透光性を有するケーシングと、このケーシング内に設けられ、前記利用者の通行方向に沿って配設された複数個の清掃具と、前記開閉カバーと前記複数個の清掃具とを連結し、前記開閉カバーの開閉動作に基づいて前記利用者の通行方向に沿って走行して前記複数個の清掃具を前記複数個の検知センサに摺接させる連結部材とを具備することを特徴とする。
【発明の効果】
【００１２】
本発明によれば、検知センサの位置が利用者に知られることなく容易に清掃でき、しかも、故障しずらい自動改札装置を提供できる。
【図面の簡単な説明】
【００１３】
【図１】本発明の一実施の形態である自動改札装置を示す斜視図。
【図２】図１の自動改札装置を示す側面図。
【図３】図１の自動改札装置の検知センサの清掃機構を示す斜視図。
【図４】図３の清掃機構の清掃ブラシを背面側から示す図。
【図５】図４の清掃ブラシを示す側面図。
【発明を実施するための形態】
【００１４】
以下、本発明の実施の形態について、詳細に説明する。
【００１５】
図１は本発明の一実施の形態である自動改札装置を示す外観斜視図で、図２はその側面図である。
【００１６】
自動改札装置は、通常、２台１組として設置され、両者の間に利用者が通行可能な改札通路が形成される。入場処理や出場処理どの改札処理を行う自動改札装置で利用可能な券媒体としては、普通乗車券、定期券、特急券、回数券、入場券、プリペイドカードなどの磁気式及び無線式の券媒体を対象としている。
【００１７】
これら券媒体は、券媒体固有の識別情報、例えば複数の数字の組み合わせからなる複数桁の識別番号、及び、改札処理に必要な改札情報、例えば、利用可能な区間情報、有効期限情報、入場記録情報、出場記録情報、利用者情報などを有している。このような識別情報及び改札情報は、磁気式券媒体では、その券面の磁気記録層に所定形式で磁気記録されており、また、無線式券媒体では、そのメモリ部に所定形式で記憶されている。
【００１８】
自動改札装置は装置本体としての筐体１を備えている。筐体１の上面部には、開閉カバーとしてのトップカバー７が開閉自在に設けられている。トップカバー７は筐体１内の保守点検時などに開放されるようになっている。トップカバー７には投入口２、排出口３、表示部４が設けられている。
【００１９】
投入口２は、筐体１における改札通路の上流側に設けられ、施設内への入場時または施設内からの出場時に投入された券媒体を受け取り可能となっている。投入口２の近傍には、券媒体の投入を阻止するためのシャッタが設けられている。
【００２０】
排出口３は、筐体１における改札通路の下流側に設けられ、投入口２から受け取った券媒体を必要に応じて排出する。
【００２１】
表示部４は、利用者の通行方向に対して筐体１における排出口３の前方に配置され、利用者や係員などに対して種々の案内情報、例えば改札処理の結果に対応した案内画面を所定の表示パターンで表示する。
【００２２】
また、筐体１の側面部には、入口側、出口側に位置してそれぞれドア機構５が配設されている。ドア機構５は、利用者の通行を制御するために開閉可能に構成されている。このドア機構５は、利用者の通行を可能とする場合には改札通路を開放し、また、利用者の通行を阻止する場合には改札通路を閉鎖する。
【００２３】
さらに、筐体１の上面部側にはケーシング６が設けられ、このケーシング６の内部には複数個の検知センサ１０〜１２が利用者の通行方向に沿って所定間隔を存して配設されている。ケーシング６はアクリル製で透光性を有している。
【００２４】
検知センサ１０は自動改札装置の入口付近に設けられ、検知センサ１１は自動改札装機の中央付近に設けられ、検知センサ１２は自動改札装機の出口付近に設けられている。これら検知センサ１０〜１２は、反射型の光センサで赤外線を用いて利用者の通行を検知し、検知信号を出力するようになっている。
【００２５】
ケーシング６の上面部には表示器８が配置され、小児券、無効券、または異常券の投入や、機器の異常など装置の動作状態を報知するようになっている。
【００２６】
ところで、上記した検知センサ１０〜１２は埃などにより汚れると、検知性能が低下するため、定期的に清掃する必要がある。
【００２７】
そこで、ケーシング６内には図３に示すように検知センサ１０〜１２を清掃するための清掃機構１４が設けられている。清掃機構１４は、連結部材としての連結ワイヤ１５を備え、この連結ワイヤ１５はその中途部がフレーム６内に入口側と出口側に位置して配設された滑車１６ａ，１６ｂ間に掛け渡されている。連結ワイヤ１５の一端部側は筐体１のトップカバー７に接続され、他端部側は巻取部材としてのスプリング１９を介して固定部２０に固定されている。
【００２８】
連結ワイヤ１５の中途部には、所定間隔、即ち検知センサ１０〜１２の間隔を存して複数個の清掃具としての清掃ブラシ２２〜２４が取り付けられている。清掃ブラシ２２〜２４は、トップカバー７の開閉動作に基づいて矢印ａ，ｂ方向に往復移動されて検知センサ１０〜１２の表面に摺接して清掃するようになっている。清掃ブラシ２２〜２４は、トップカバー７が閉じられた状態においては、検知センサ１０〜１２の表面から離れた待機位置に待機している。この清掃ブラシ２２〜２４は図４及び図５にも示すように、アクリル製のブラシ部２２ａ〜２４ａとその保持部２２ｂ〜２４ｂとからなり、保持部２２ｂ〜２４ｂの下端部が連結ワイヤ１５に固定されている。
【００２９】
次に、検知センサ１０〜１２の清掃動作について説明する。
【００３０】
トップカバー７が筐体１内部の保守点検時などに図３に示すように開放されると、連結ワイヤ１５が巻取用スプリング１９の付勢力に抗して矢印ａ方向に引っ張られて清掃ブラシ２２〜２４が移動する。これにより、清掃ブラシ２２〜２４が検知センサ１０〜１２の表面に摺接して清掃する。
【００３１】
また、保守点検が終了して、トップカバー７が閉じられると、連結ワイヤ１５が巻取用スプリング１９の付勢力によって矢印ｂ方向に巻き戻される。これにより、清掃ブラシ２２〜２４が再度、検知センサ１０〜１２の表面に摺接して清掃したのち、検知センサ１０〜１２から離れて待機位置に復帰する。
【００３２】
上記したように、この実施の形態によれば、保守点検時などに開閉されるトップカバー１８の開閉動作に基づいて検知センサ１０〜１２を清掃するため、検知センサ１０〜１２
をカバーするケーシング６を取り外すことなく、検知センサ１０〜１２の清掃が可能となる。従って、検知センサ１０〜１２を外部に露出させることなく、その清掃を行なうことができる。よって、検知センサ１０〜１２の位置が利用者に知られることがなく、利用者の不正利用を助長してしまうことがない。
【００３３】
また、筐体１内の保守点検作業のついでに自動的に検知センサ１０〜１２の清掃を行なうことができるため、検知センサ１０〜１２の清掃作業を専用に必要とすることがなく、作業性を向上できるとともに、利用者が通行できなくなる弊害も減少できる。
【００３４】
さらに、エレベータのように、通常機能にて常時稼動するカゴにブラシを連動させるものと異なり、筐体１内の保守点検作業時などにのみ清掃ブラシ２２〜２４を動作させるため、故障もし難いという利点がある。
【００３５】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【００３６】
１…筐体（装置本体）、６…ケーシング、１０〜１２…検知センサ、２２〜２４…清掃ブラシ（清掃具）、１５…連結ワイヤ（連結部材）、１６…滑車、１８…トップカバー（開閉カバー）、１９…スプリング（付勢部材）。
【図１】
0005404249.tif 000002
【図２】
0005404249.tif 000003
【図３】
0005404249.tif 000004
【図４】
0005404249.tif 000005
【図５】
0005404249.tif 000006